(57)【要約】【課題】水処理塔を複数備える構成において、外観を可及的に向上させることができる水処理装置を提供する。【解決手段】水処理装置１は、原水から処理水を製造する水処理材を収容した圧力タンクの頭頂部に流路切替弁２００Ａ、２００Ｂが接続された水処理塔２Ａ、２Ｂを備え、水処理塔２Ａ、２Ｂは、圧力タンク２０１Ａ、２０１Ｂの水平断面の中心が予め設定された基準線ＯＸと平面視において略一致するように基礎ベッド４上に並べて載置され、流路切替弁２００Ａ、２００Ｂの原水入口２２及び処理水出口２３は、平面視において当該流路切替弁の側方且つ外側に向けて開口すると共に、原水入口２２及び処理水出口２３の垂直断面の中心が予め設定された基準線と側面視において略一致するように開口し、原水入口２２及び処理水出口２３に接続されるそれぞれの通水配管が、水処理塔２Ａ、２Ｂの同一側方において集約化されている。【選択図】図１
2014231044.tif 000002
【特許請求の範囲】
【請求項１】
原水から処理水を製造する水処理材を収容した圧力タンクの頭頂部に流路切替弁が接続された水処理塔を複数備え、
複数の前記水処理塔は、それぞれの前記圧力タンクの水平断面の中心が予め設定された基準線と平面視において略一致するように基礎ベッド上に並べて載置され、
前記流路切替弁の原水入口及び処理水出口は、平面視において当該流路切替弁の側方且つ外側に向けて開口すると共に、前記原水入口及び前記処理水出口の垂直断面の中心が予め設定された基準線と側面視において略一致するように開口し、
前記原水入口及び前記処理水出口に接続されるそれぞれの通水配管が、複数の前記水処理塔の同一側方において集約化されている
水処理装置。
【請求項２】
前記流路切替弁における流路の切り替えを制御するコントロールボックスを備え、
前記コントロールボックスは、複数の前記水処理塔を並び方向の一端側の側方から見たときに、複数の前記水処理塔よりも前側に位置し且つ複数の前記水処理塔と重複するように前記基礎ベッド上に載置され、又は集約化された前記通水配管よりも前側に位置し且つ集約化された前記通水配管と重複するように前記基礎ベッド上に載置される
請求項１に記載の水処理装置。
【発明の詳細な説明】
【技術分野】
【０００１】
本発明は、水処理塔を複数備えた水処理装置に関する。
【背景技術】
【０００２】
従来、単床式の陽イオン交換装置及び陰イオン交換装置を、それぞれ水処理塔として直列に接続した、いわゆる２床２塔式の純水製造装置（以下、単に「純水製造装置」ともいう）が知られている。この純水製造装置では、陽イオン交換装置において原水中の陽イオンが除去された処理水となり、更に陰イオン交換装置において処理水中の陰イオンが除去されるため、効率よく純水を製造することができる（特許文献１参照）。
【先行技術文献】
【特許文献】
【０００３】
【特許文献１】特開２００７−２１３６０号公報
【発明の概要】
【発明が解決しようとする課題】
【０００４】
上述したイオン交換装置は、イオン交換樹脂床が収容される圧力タンクを備える。そして、イオン交換装置においては、処理対象となる原水をイオン交換樹脂床に供給する通水工程や、処理能力の喪失したイオン交換樹脂床を再生する再生工程等、各工程に応じて流路が変更される。そのため、イオン交換樹脂床を収容する圧力タンクの上部には、複数の弁を備えた流路切替弁が設けられ、各工程に応じて弁の開閉や流路の切り替えが行われる。
【０００５】
ところで、上述した流路切替弁には、原水配管や処理水配管等の通水配管が数多く接続される。特に、２床２塔式の純水製造装置では、２つのイオン交換装置間を配管により接続する必要があるため、配管の経路数が多くなる。そのため、水処理装置としての純水製造装置の外観が配管等により損なわれるという課題がある。
【０００６】
従って、本発明は、水処理塔を複数備える構成において、外観を可及的に向上させることができる水処理装置を提供することを目的とする。
【課題を解決するための手段】
【０００７】
本発明は、原水から処理水を製造する水処理材を収容した圧力タンクの頭頂部に流路切替弁が接続された水処理塔を複数備え、複数の前記水処理塔は、それぞれの前記圧力タンクの水平断面の中心が予め設定された基準線と平面視において略一致するように基礎ベッド上に並べて載置され、前記流路切替弁の原水入口及び処理水出口は、平面視において当該流路切替弁の側方且つ外側に向けて開口すると共に、前記原水入口及び前記処理水出口の垂直断面の中心が予め設定された基準線と側面視において略一致するように開口し、前記原水入口及び前記処理水出口に接続されるそれぞれの通水配管が、複数の前記水処理塔の同一側方において集約化されている水処理装置に関する。
【０００８】
また、前記流路切替弁における流路の切り替えを制御するコントロールボックスを備え、前記コントロールボックスは、複数の前記水処理塔を並び方向の一端側の側方から見たときに、複数の前記水処理塔よりも前側に位置し且つ複数の前記水処理塔と重複するように前記基礎ベッド上に載置され、又は集約化された前記通水配管よりも前側に位置し且つ集約化された前記通水配管と重複するように前記基礎ベッド上に載置されることが好ましい。
【発明の効果】
【０００９】
本発明によれば、外観を可及的に向上させることができる水処理装置を提供することができる。
【図面の簡単な説明】
【００１０】
【図１】第一実施形態に係る純水製造装置１の平面図である。
【図２】第一実施形態に係る純水製造装置１の側面図である。
【図３】第一実施形態に係る純水製造装置１の正面図である。
【図４】第一実施形態における陽イオン交換装置２Ａの概略図である。
【図５】第一実施形態における流路切替弁２００Ａの概略斜視図である。
【図６】第二実施形態における陽イオン交換装置３Ａの概略図である。
【図７】第二実施形態における流路切替弁３００Ａの概略斜視図である。
【発明を実施するための形態】
【００１１】
以下、本発明に係る水処理装置を、２床２塔式の純水製造装置に適用した実施形態について説明する。
【００１２】
［第一実施形態］
図１は、第一実施形態に係る純水製造装置１の平面図である。図２は、第一実施形態に係る純水製造装置１の側面図である。図３は、第一実施形態に係る純水製造装置１の正面図である。なお、各図においては、各配管に接続されるバルブやセンサ等の機器を適宜に省略する。
【００１３】
図１及び図２に示すように、本実施形態に係る純水製造装置１は、水処理塔としての陽イオン交換装置２Ａと、同じく水処理塔としての陰イオン交換装置２Ｂと、基礎ベッド４と、コントロールボックス５と、を備える。本実施形態に係る純水製造装置１は、単床式の陽イオン交換装置２Ａ及び陰イオン交換装置２Ｂを、それぞれ水処理塔として直列に接続した２床２塔式の水処理装置として構成される。
【００１４】
図１及び図２に示すように、陽イオン交換装置２Ａは、流路切替弁２００Ａと、圧力タンク２０１Ａと、を備える。流路切替弁２００Ａには、純水製造装置１の設置現場において、所要の配管（後述）を介して再生剤タンク２０２Ａ（図４参照）が接続される。
【００１５】
流路切替弁２００Ａは、内部に設けられた複数の弁の開閉状態を制御することにより、流路の開閉や切り替えを行う機器である。流路切替弁２００Ａは、主な流体の出入口として、原水入口２２及び処理水出口２３を備える（陰イオン交換装置２Ｂの流路切替弁２００Ｂについても同じ）。流路切替弁２００Ａにおける他の流体の出入口については後述する。
【００１６】
圧力タンク２０１Ａは、有底円筒状の中空容器である。圧力タンク２０１Ａには、陽イオン交換樹脂ビーズからなるイオン交換樹脂床（不図示）が収容される。
【００１７】
再生剤タンク２０２Ａ（図４参照）には、圧力タンク２０１Ａに収容された陽イオン交換樹脂床の再生剤として、例えば塩酸や硫酸等の無機酸が貯留される。
【００１８】
また、図１及び図２に示すように、陰イオン交換装置２Ｂは、流路切替弁２００Ｂと、圧力タンク２０１Ｂと、を備える。流路切替弁２００Ｂには、純水製造装置１の設置現場において、所要の配管（後述）を介して再生剤タンク２０２Ｂ（図４参照）が接続される。
【００１９】
陰イオン交換装置２Ｂの圧力タンク２０１Ｂは、有底円筒状の中空容器である。圧力タンク２０１Ｂには、陰イオン交換樹脂ビーズからなるイオン交換樹脂床（不図示）が収容される。陰イオン交換装置２Ｂにおける流路切替弁２００Ｂの構成は、陽イオン交換装置２Ａの流路切替弁２００Ａと実質的に同じである。
【００２０】
なお、陰イオン交換装置２Ｂの圧力タンク２０１Ｂに収容される陰イオン交換樹脂ビーズの量は、陽イオン交換装置２Ａの圧力タンク２０１Ａに収容される陽イオン交換樹脂ビーズの量に比べて多いため、陰イオン交換装置２Ｂの圧力タンク２０１Ｂの外径は、陽イオン交換装置２Ａの圧力タンク２０１Ａよりも大きい。本実施形態に係る純水製造装置１では、図１及び図２に示すように、コントロールボックス５に近い前方側に陽イオン交換装置２Ａが配置され、コントロールボックス５とは反対側の後方側に陰イオン交換装置２Ｂが配置される。
【００２１】
再生剤タンク２０２Ｂ（図４参照）には、圧力タンク２０１Ｂに収容された陰イオン交換樹脂床の再生剤として、例えば水酸化ナトリウム水溶液や水酸化カリウム水溶液等のアルカリ溶液が貯留される。
【００２２】
また、図１及び図２に示すように、陽イオン交換装置２Ａ及び陰イオン交換装置２Ｂは、基礎ベッド４の上に載置されている。基礎ベッド４は、陽イオン交換装置２Ａ、陰イオン交換装置２Ｂ、及びコントロールボックス５を載置するための台である。
【００２３】
図１に示すように、陽イオン交換装置２Ａ及び陰イオン交換装置２Ｂは、圧力タンク２０１Ａの水平断面の中心ＯＡＸ、及び圧力タンク２０１Ｂの水平断面の中心ＯＢＸが予め設定された基準線ＯＸと平面視において一致するように基礎ベッド４の上に並べて載置されている。本実施形態における基準線ＯＸは、平面視において、純水製造装置１の中心線ＯＸ´と平行な線である。
【００２４】
なお、圧力タンク２０１Ａの中心ＯＡＸ及び圧力タンク２０１Ｂの中心ＯＢＸは、基準線ＯＸと平面視において略一致するように基礎ベッド４の上に並べて載置されていればよい。例えば、図３において、圧力タンク２０１Ａの外側縁が、外径の大きな圧力タンク２０１Ｂの直径の範囲内にあれば、圧力タンク２０１Ａの中心ＯＡＸ及び圧力タンク２０１Ｂの中心ＯＢＸは、基準線ＯＸと平面視において完全に一致していなくてもよい。或いは、圧力タンク２０１Ａの中心ＯＡＸ及び圧力タンク２０１Ｂの中心ＯＢＸが、施工誤差の範囲内において基準線ＯＸと略一致していれば、圧力タンク２０１Ａの中心ＯＡＸ及び圧力タンク２０１Ｂの中心ＯＢＸは、基準線ＯＸと平面視において完全に一致していなくてもよい。
【００２５】
また、図１に示すように、流路切替弁２００Ａ及び流路切替弁２００Ｂの原水入口２２及び処理水出口２３は、平面視において、流路切替弁２００Ａ及び流路切替弁２００Ｂの側方且つ外側（図１では下側、図３では右側）に向けて開口する。
【００２６】
更に、図２に示すように、流路切替弁２００Ａ及び流路切替弁２００Ｂは、原水入口２２及び処理水出口２３の垂直断面の中心が予め設定された基準線ＯＹと側面視において一致するように開口する。
【００２７】
具体的には、流路切替弁２００Ａの原水入口２２及び処理水出口２３において、それぞれの垂直断面の中心ＯＡＹ１及びＯＡＹ２は、基準線ＯＹと側面視において一致する。同様に、流路切替弁２００Ｂの原水入口２２及び処理水出口２３において、それぞれの垂直断面の中心ＯＡＹ１及びＯＡＹ２は、基準線ＯＹと側面視において一致する。すなわち、流路切替弁２００Ａ及び流路切替弁２００Ｂにおいて、それぞれの原水入口２２及び処理水出口２３の垂直断面の中心は、基準線ＯＹと側面視において一致するように開口する。基準線ＯＹは、純水製造装置１の設置面Ｇ（水平面）と平行な線である。
【００２８】
なお、流路切替弁２００Ａ及び流路切替弁２００Ｂは、原水入口２２及び処理水出口２３の垂直断面の各中心が基準線ＯＹと側面視において略一致するように開口していればよい。例えば、図２において、原水入口２２及び処理水出口２３の垂直断面の各中心が、施工誤差の範囲内において基準線ＯＹと側面視において略一致していれば、原水入口２２及び処理水出口２３の垂直断面の各中心が基準線ＯＹと側面視において完全に一致していなくてもよい。
【００２９】
また、純水製造装置１は、図１及び図２に示すように、通水配管として、原水配管３６と、処理水配管３７と、純水配管５２と、駆動水配管５３と、排水配管５４と、通薬配管４１Ａ及び４１Ｂと、を備える。ここで、各配管の接続について簡単に説明する。
【００３０】
原水配管３６は、原水を陽イオン交換装置２Ａに供給するための配管である。原水配管３６の上流側の端部は、原水の供給源（不図示）から延出された原水供給配管５５に接続されている。また、原水配管３６の下流側の端部は、流路切替弁２００Ａ（陽イオン交換装置２Ａ）の原水入口２２に接続されている。また、原水配管３６には、開閉弁Ｖ１が設けられている。なお、図１〜図３では、バルブの形状を簡略化している。
【００３１】
処理水配管３７は、陽イオン交換装置２Ａで製造された処理水を陰イオン交換装置２Ｂに供給するための配管である。処理水配管３７の上流側の端部は、流路切替弁２００Ａ（陽イオン交換装置２Ａ）の処理水出口２３に接続されている。また、処理水配管３７の下流側の端部は、流路切替弁２００Ｂ（陰イオン交換装置２Ｂ）の原水入口２２に接続されている。陰イオン交換装置２Ｂでは、陽イオン交換装置２Ａで製造された処理水が処理対象（原水）となる。
【００３２】
純水配管５２は、陰イオン交換装置２Ｂで製造された処理水としての純水を、需要先に送出するための配管である。純水配管５２の上流側の端部は、流路切替弁２００Ｂ（陰イオン交換装置２Ｂ）の処理水出口２３に接続されている。純水配管５２の下流側の端部は、純水の需要先に延出する純水供給配管５６に接続されている。
【００３３】
駆動水配管５３は、流路切替弁２００Ａ及び流路切替弁２００Ｂに駆動水（原水又は処理水）を供給する配管である。駆動水配管５３の上流側の端部は、駆動水の供給源（不図示）に延出する駆動水供給配管５７に接続されている。また、駆動水配管５３の下流側の端部は、流路切替弁２００Ａ及び流路切替弁２００Ｂのそれぞれの駆動水入口２９に接続されている。なお、駆動水配管５３には、開閉弁Ｖ２が設けられている。
【００３４】
排水配管５４は、流路切替弁２００Ａ及び流路切替弁２００Ｂから排出された再生排水、圧密排水及び洗浄排水を、装置の外に送出するための配管である。再生排水は、再生（通薬）工程において排出される水である。圧密排水は、圧密工程において排出される水である。洗浄排水は、洗浄工程において排出される水である。排水配管５４の上流側の端部は、流路切替弁２００Ａ及び流路切替弁２００Ｂのそれぞれの排水口２５に接続されている。また、排水配管５４の下流側の端部は、排水口（不図示）に延出する排水用配管（不図示）に接続されている。
【００３５】
通薬配管４１Ａは、流路切替弁２００Ａに再生剤（例えば、塩酸）を供給するための配管である。通薬配管４１Ａの上流側の端部は、再生剤タンク２０２Ａ（図４参照）から延出された再生剤配管４１に接続されている。通薬配管４１Ａの下流側の端部は、流路切替弁２００Ａの再生剤口４０に接続されている。また、通薬配管４１Ａには、開閉弁Ｖ３が設けられている。
【００３６】
通薬配管４１Ｂは、流路切替弁２００Ｂに再生剤（例えば、水酸化ナトリウム水溶液）を供給するための配管である。通薬配管４１Ｂの上流側の端部は、再生剤タンク２０２Ｂ（図４参照）から延出された再生剤配管４１に接続されている。通薬配管４１Ｂの下流側の端部は、流路切替弁２００Ｂの再生剤口４０に接続されている。また、通薬配管４１Ｂには、開閉弁Ｖ４が設けられている。
【００３７】
上述した配管のうち、原水配管３６、処理水配管３７及び純水配管５２は、本実施形態における通水配管を構成する。本実施形態では、図１及び図３に示すように、上記通水配管を含むすべての配管が、陽イオン交換装置２Ａ及び陰イオン交換装置２Ｂの同一側方（例えば、図３の右側方）において集約されている。なお、図１〜図３に示す各配管は、それぞれ配管ラック等のサポート部材（不図示）により支持されている。サポート部材は、基礎ベッド４や近接する壁面（建屋）に設けられる。
【００３８】
コントロールボックス５は、純水製造装置１の運転を制御するための設備である。コントロールボックス５には、流路切替弁２００Ａ（２００Ｂ）における流路の切り替えを制御する制御部のほか、電源装置、操作パネル等（不図示）が収容されている。
【００３９】
また、図３に示すように、コントロールボックス５は、陽イオン交換装置２Ａ及び陰イオン交換装置２Ｂを並び方向の一端側の側方から見たときに、これらイオン交換装置よりも前側に位置すると共に、集約化された通水配管等と重複するように基礎ベッド４の上に載置されている。
【００４０】
次に、陽イオン交換装置２Ａを例にして、本実施形態における流路切替弁２００Ａの構成について説明する。図４は、本実施形態における陽イオン交換装置２Ａの概略図である。なお、陰イオン交換装置２Ｂの流路切替弁２００Ｂも実質的に同一構成であるため説明を省略する。
【００４１】
図４に示すように、流路切替弁２００Ａは、設定された流路が形成されたバルブハウジング２０３に、複数の弁６〜１３が設けられている。各弁６〜１３の開閉は、カム４７（後述）の回転により操作される。そのカム４７を回転させるモータ１０８は、コントロールボックス５に収容された制御部と信号線（不図示）を介して電気的に接続されている。各弁６〜１３の開閉は、制御部からモータ１０８に出力される指令信号により制御される。
【００４２】
流路切替弁２００Ａは、圧力タンク２０１Ａの上部に取り付けられる。圧力タンク２０１Ａの上部開口は、流路切替弁２００Ａのバルブハウジング２０３で閉じられる。バルブハウジング２０３の下部には、圧力タンク２０１Ａの上部開口と対応する位置に、第一通水路１４、第二通水路１５及び再生排水路１６の各端部が開口している。
【００４３】
第一通水路１４は、圧力タンク２０１Ａ内の第一上部通水口１７に開口する。第二通水路１５は、導管１８を介して、圧力タンク２０１Ａ内の下部通水口１９に開口する。再生排水路１６は、圧力タンク２０１Ａ内の第二上部通水口２１に開口する。
【００４４】
導管１８は、バルブハウジング２０３に上端部を保持され、バルブハウジング２０３から下方へ延出し、圧力タンク２０１Ａ内に差し込まれる。また、導管１８は、圧力タンク２０１Ａの下部まで延出する。そして、導管１８の下部に、下部通水口１９が設けられる。
【００４５】
流路切替弁２００Ａのバルブハウジング２０３には、原水入口２２からの原水を第一上部通水口１７へ送る第一通水路１４と、下部通水口１９からの処理水を処理水出口２３へ送る第二通水路１５とが設けられている。第一通水路１４には第一通水弁６が設けられ、第二通水路１５には第二通水弁７が設けられる。
【００４６】
第一通水弁６よりも原水入口２２側の第一通水路１４と、第二通水弁７よりも処理水出口２３側の第二通水路１５とは、バイパス路２４で接続される。このバイパス路２４には、バイパス弁８が設けられる。
【００４７】
第一上部通水口１７には、排水口２５への圧密排水路２６も接続され、この圧密排水路２６には、圧密排水弁９が設けられる。図４では、第一通水路１４と圧密排水路２６とは、圧力タンク２０１Ａの側において共通管路として示している。
【００４８】
下部通水口１９には、排水口２５への洗浄排水路２７も接続され、この洗浄排水路２７には、洗浄排水弁１０が設けられる。図４では、第二通水路１５と洗浄排水路２７とは、圧力タンク２０１Ａの側において共通管路として示している。なお、圧密排水路２６及び洗浄排水路２７の下流は、定流量弁（ゴムオリフィス）２８を介して、排水口２５へ開口する。
【００４９】
第二上部通水口２１には、排水口２５への再生排水路１６が接続され、この再生排水路１６には、再生排水弁１１が設けられる。圧密排水路２６、洗浄排水路２７及び再生排水路１６の下流は、まとめられ、排水口２５へ開口する。
【００５０】
バルブハウジング２０３には、更に、駆動水入口２９からの駆動水（所定圧力の原水又は処理水）をエゼクタ３０へ送る駆動水路３１が設けられる。駆動水路３１には、駆動水入口２９から順に、ストレーナ３２、定流量弁（ゴムオリフィス）３３及びエゼクタ３０が設けられる。なお、原水入口２２への原水と、駆動水入口２９への駆動水とは、同一給水源からの水を分岐して用いることができる。或いは、原水入口２２と駆動水入口２９とを統一して、バルブハウジング２０３内で、第一通水路１４と駆動水路３１とに分岐させてもよい。
【００５１】
エゼクタ３０は、エゼクタ本体とノズル（いずれも不図示）とを備える。駆動水をノズルからエゼクタ本体の先端側へ噴出させることで、エゼクタ本体の吸引口３８から再生剤を吸引し、駆動水と混合して吐出する。つまり、ノズルには駆動水路３１からの駆動水が供給され、エゼクタ本体の吸引口３８には再生剤路３９からの再生剤が供給される。再生剤路３９は、バルブハウジング２０３の再生剤口４０とエゼクタ本体の吸引口３８とを接続する。その経路の途中には、再生弁１２が設けられる。なお、バルブハウジング２０３の再生剤口４０には、再生剤配管４１を介して再生剤タンク２０２Ａが接続される。その経路の途中には、再生剤流量計４２が設けられる。
【００５２】
エゼクタ３０（エゼクタ本体）の出口側には、通薬路４４が設けられる。通薬路４４は、オリフィス４６及びエゼクタ弁１３を介して、下部通水口１９に接続される。なお、図４では、第一通水路１４及び圧密排水路２６は、圧力タンク２０１Ａの側において共通管路として示している。また、第二通水路１５、洗浄排水路２７及び通薬路４４は、圧力タンク２０１Ａの側において共通管路として示している。
【００５３】
次に、本実施形態における流路切替弁２００Ａの具体的な構成について説明する。図５は、本実施形態における流路切替弁２００Ａの概略斜視図である。なお、流路切替弁２００Ｂ（陰イオン交換装置２Ｂ）の構成も実質的に同じであるため説明を省略する。
【００５４】
図５に示すように、流路切替弁２００Ａは、上述した各流路１４，１５，１６，２４，２６，２７，３１，３９，４４が形成されたバルブハウジング２０３に、各弁６〜１３やエゼクタ３０等が設けられている。つまり、バルブハウジング２０３には、図１に示される回路を形成するように、各流路１４，１５，１６，２４，２６，２７，３１，３９，４４が形成されると共に、各弁６〜１３やエゼクタ３０等が設けられている。
【００５５】
各弁６〜１３は、カム４７により開閉操作されるが、そのカム４７を回転させるカムシャフト４８は、バルブハウジング２０３の上部の前後方向中央部に、左右方向へ沿って設けられる。そして、このカムシャフト４８を境に、各弁６〜１３は、第一弁群４９と第二弁群５０とに前後に分かれて配置される。この際、再生弁１２は、第一弁群４９又は第二弁群５０のいずれに含めてもよいが、本実施形態では第二弁群５０に含まれる。
【００５６】
第一弁群４９は、第一通水弁６、第二通水弁７及びバイパス弁８を備える。この際、バイパス弁８は、第一通水弁６と第二通水弁７との間に配置されるのがよい。図５では、第一弁群４９は、バルブハウジング２０３の前方に配置され、左から順に、第一通水弁６、バイパス弁８及び第二通水弁７が左右に並べて配置されている。また、第一通水弁６の左隣には、エゼクタ収容部５１が設けられる。
【００５７】
第二弁群５０は、圧密排水弁９、洗浄排水弁１０、再生排水弁１１、エゼクタ弁１３及び再生弁１２を備える。この際、圧密排水弁９と洗浄排水弁１０とが隣接して配置され、これと隣接して再生排水弁１１が配置されるのがよい。また、再生弁１２とエゼクタ弁１３とは、隣接して配置されるのがよい。図５では、第二弁群５０は、左から順に、再生弁１２、エゼクタ弁１３、再生排水弁１１、圧密排水弁９及び洗浄排水弁１０が左右に並べて配置されている。
【００５８】
バルブハウジング２０３には、流体の出入口として、前述したように、原水入口２２、処理水出口２３、排水口２５、駆動水入口２９及び再生剤口４０（不図示）が設けられている。
【００５９】
原水入口２２及び処理水出口２３は、第一弁群４９の側に設けられるのが好ましい。本実施形態では、原水入口２２は、第一通水弁６の下部に設けられ、処理水出口２３は、第二通水弁７の下部に設けられる。より具体的には、第一通水路１４の端部を構成する管が、第一通水弁６の下部に、前方へ延出して設けられており、その前端開口が原水入口２２となる。また、第二通水路１５の端部を構成する管が、第二通水弁７の下部に、前方へ延出して設けられており、その前端開口が処理水出口２３となる。
【００６０】
排水口２５は、第二弁群５０の側に設けられるのが好ましい。本実施形態では、排水口２５は、再生排水弁１１、圧密排水弁９及び洗浄排水弁１０の下部に設けられる。より具体的には、再生排水路１６、圧密排水路２６及び洗浄排水路２７の端部をまとめる管が、これら弁９〜１１の下部付近から右側へ延出して設けられており、その右端開口が排水口２５となる。
【００６１】
駆動水入口２９は、エゼクタ３０（不図示）に近接して設けられるのが好ましい。本実施形態では、駆動水入口２９は、エゼクタ収容部５１の上部に設けられる。より具体的には、駆動水路３１の端部を構成する管が、エゼクタ収容部５１の上部に、上方へ延出して設けられており、その端部開口が駆動水入口２９となる。
【００６２】
再生剤口４０（不図示）は、再生弁１２に近接して設けられるのが好ましい。本実施形態では、再生剤口４０は、再生弁１２の下部に設けられる（図２、図３参照）。より具体的には、再生弁１２の下部には、再生剤口４０が設けられており、その再生剤口４０には再生剤流量計４２（図４参照）が設けられる。
【００６３】
上述した第一実施形態に係る純水製造装置１によれば、例えば、以下のような効果が奏される。
【００６４】
第一実施形態に係る純水製造装置１において、陽イオン交換装置２Ａ及び陰イオン交換装置２Ｂは、圧力タンク２０１Ａの水平断面の中心ＯＡ及び圧力タンク２０１Ｂの水平断面の中心ＯＢが予め設定された基準線ＯＸと平面視において一致するように基礎ベッド４の上に並べて載置される。そのため、陽イオン交換装置２Ａ及び陰イオン交換装置２Ｂを並び方向の一端側の側方から見たときに、圧力タンク２０１Ａ及び２０１Ｂを載置するスペースの幅を必要最小限（本実施形態では、外径の大きな圧力タンク２０１Ｂの直径）に抑制することができる。
【００６５】
また、第一実施形態に係る純水製造装置１において、流路切替弁２００Ａ及び流路切替弁２００Ｂの原水入口２２及び処理水出口２３は、平面視において、流路切替弁２００Ａ及び流路切替弁２００Ｂの側方且つ外側に向けて開口する。そのため、各流路切替弁の原水入口２２及び処理水出口２３と接続する配管を、流路切替弁２００Ａ及び流路切替弁２００Ｂの同じ側に設けることができる。
【００６６】
また、第一実施形態に係る純水製造装置１において、流路切替弁２００Ａ及び流路切替弁２００Ｂは、原水入口２２及び処理水出口２３の垂直断面の中心が予め設定された基準線ＯＹと側面視において一致するように開口する。そのため、各流路切替弁の原水入口２２及び処理水出口２３と接続する配管の高さを揃えることができる。
【００６７】
更に、第一実施形態に係る純水製造装置１において、流路切替弁２００Ａ及び流路切替弁２００Ｂのそれぞれの原水入口２２及び処理水出口２３に接続される原水配管３６、処理水配管３７及び純水配管５２（通水配管）を含むすべての配管は、陽イオン交換装置２Ａ及び陰イオン交換装置２Ｂの同一側方において集約化されている。これによれば、陽イオン交換装置２Ａ及び陰イオン交換装置２Ｂにおいて、各配管が不規則な方向に延出されることがない。そのため、陽イオン交換装置２Ａ及び陰イオン交換装置２Ｂの同一側方において、延出される配管の密度を高めることができる。
【００６８】
従って、第一実施形態に係る純水製造装置１においては、陽イオン交換装置２Ａ及び陰イオン交換装置２Ｂを備える構成において、配管等の実装に必要な空間スペースを極力小さくできるため、外観を可及的に向上させることができる。
【００６９】
また、第一実施形態に係る純水製造装置１において、コントロールボックス５は、陽イオン交換装置２Ａ及び陰イオン交換装置２Ｂを並び方向の一端側の側方から見たときに、これらイオン交換装置よりも前側に位置すると共に、集約化された通水配管等と重複するように基礎ベッド４の上に載置される。そのため、純水製造装置１を前記一端側の側方から見たときに、コントロールボックス５により、陽イオン交換装置２Ａ及び陰イオン交換装置２Ｂに接続される配管等を目立たなくすることができる。従って、純水製造装置１の外観をより向上させることができる。特に、純水製造装置１を建屋の壁面に近い位置に設置する場合に、配管を壁面側において集約化することにより、陽イオン交換装置２Ａ及び陰イオン交換装置２Ｂに接続される配管等をより目立たなくすることができる。
【００７０】
また、第一実施形態の流路切替弁２００Ａにおいて、第一弁群４９には、第一通水弁６、第二通水弁７及びバイパス弁８という通水系統の弁が配置され、第二弁群５０には、再生弁１２、エゼクタ弁１３、再生排水弁１１、圧密排水弁９及び洗浄排水弁１０という再生系統の弁が配置される。このように、通水系統と再生系統とを分けることにより、各工程における流路を取り易くなる。また、第一弁群４９は、第二弁群５０よりも弁数が少ないため、通水弁６，７やバイパス弁８として比較的大きな口径の弁を用いても、流路切替弁２００Ａの全体の収まりがよい。そのため、通水系統の口径を大きくして、通水容量を大きくとることができる。
【００７１】
また、流路切替弁２００Ａにおいて、第一通水弁６と第二通水弁７との間にバイパス弁８を配置することにより、第一通水路１４と第二通水路１５との間にバイパス路２４を取り易くなる。しかも、原水入口２２及び処理水出口２３を第一弁群４９の側に設けることで、通水系統を完全にまとめることができる。
【００７２】
一方、流路切替弁２００Ａでは、圧密排水弁９、洗浄排水弁１０及び再生排水弁１１をまとめることにより、排水系統の流路を取り易くなる。しかも、排水口２５を第二弁群５０の側に設けることで、再生系統を完全にまとめることができる。また、再生弁１２とエゼクタ弁１３とをまとめることで、再生剤の流路も取り易くなる。
【００７３】
［第二実施形態］
図６は、第二実施形態における陽イオン交換装置３Ａの概略図である。また、図７は、第二実施形態における流路切替弁３００Ａの概略斜視図である。第二実施形態に係る純水製造装置１Ａの基本的な構成は、第一実施形態に係る純水製造装置１（図１参照）と実質的に同じであるため説明を省略する。
【００７４】
第二実施形態に係る純水製造装置１Ａは、陽イオン交換装置３Ａ及び陰イオン交換装置３Ｂを備える。陽イオン交換装置３Ａは、流路切替弁３００Ａを備える。陰イオン交換装置３Ｂは、流路切替弁３００Ｂを備える。
【００７５】
第二実施形態に係る純水製造装置１Ａでは、流路切替弁３００Ａ（３００Ｂ）の構成が、第一実施形態における流路切替弁２００Ａ（２００Ｂ）と主に異なる。以下、陽イオン交換装置３Ａを例にして、本実施形態における流路切替弁３００Ａの構成について説明する。なお、陰イオン交換装置３Ｂの流路切替弁３００Ｂも実質的に同一構成であるため説明を省略する。
【００７６】
第二実施形態の流路切替弁３００Ａは、第一実施形態の流路切替弁２００Ａより全体のサイズが小さく、一部構成が異なるが、基本的には第一実施形態と同様である。そこで、以下では両者の異なる点を中心に説明し、対応する箇所には同一の符号を付して説明する。
【００７７】
図６に示すように、第二実施形態の陽イオン交換装置３Ａは、流路切替弁３００Ａの他、圧力タンク３０１Ａ、及び再生剤タンク３０２Ａを備える。
【００７８】
流路切替弁３００Ａは、設定された流路が形成されたバルブハウジング３０３に、複数の弁６〜１３が設けられている。各弁６〜１３の開閉は、カム４７（図７参照）の回転により操作される。そのカム４７を回転させるモータ１０８は、コントロールボックス５に収容された制御部（不図示）と信号線を介して電気的に接続されている。各弁６〜１３の開閉は、制御部からモータ１０８に出力される指令信号により制御される。
【００７９】
第二実施形態において、各弁６〜１３は、第一実施形態と同様に、カムシャフト４８（図７参照）を境に、第一弁群４９と第二弁群５０とに前後に分かれて配置される。この際、再生弁１２は、第一弁群４９又は第二弁群５０のいずれに含めてもよいが、本実施形態では第一弁群４９に含まれる。
【００８０】
第一弁群４９は、第一通水弁６、第二通水弁７、バイパス弁８及び再生弁１２を備える。この際、バイパス弁８は、第一通水弁６と第二通水弁７との間に配置されるのがよい。図７では、第一弁群４９は、バルブハウジング３０３の前方に配置され、左から順に、第二通水弁７、バイパス弁８、第一通水弁６及び再生弁１２が左右に並べて配置されている。
【００８１】
第二弁群５０は、圧密排水弁９、洗浄排水弁１０、再生排水弁１１及びエゼクタ弁１３を備える。この際、圧密排水弁９と洗浄排水弁１０とが隣接して配置され、これと隣接して再生排水弁１１が配置されるのがよい。図７では、第二弁群５０は、左から順に、再生排水弁１１、圧密排水弁９、洗浄排水弁１０及びエゼクタ弁１３が左右に並べて配置されている。また、第一弁群４９の再生弁１２と、第二弁群５０のエゼクタ弁１３とは、前後に対向して配置されている。
【００８２】
バルブハウジング３０３には、流体の出入口として、前述したように、原水入口２２、処理水出口２３、排水口２５、駆動水入口２９及び再生剤口４０が設けられている。
【００８３】
原水入口２２及び処理水出口２３は、第一弁群４９の側に設けられるのが好ましい。本実施形態では、原水入口２２は、第一通水弁６とバイパス弁８との中間部に、前方へ開口して設けられ、処理水出口２３は、第二通水弁７とバイパス弁８との中間部に、前方へ開口して設けられる。より具体的には、第一通水路１４の端部が、バルブハウジング３０３の第一通水弁６とバイパス弁８との中間部に、前方へ延出して設けられており、その前端開口が原水入口２２となる。また、第二通水路１５の端部が、バルブハウジング３０３の第二通水弁７とバイパス弁８との中間部に、前方へ延出して設けられており、その前端開口が処理水出口２３となる。
【００８４】
排水口２５は、第二弁群５０の側に設けられるのが好ましい。本実施形態では、排水口２５は、再生排水弁１１の側部に設けられる。より具体的には、再生排水路１６、圧密排水路２６及び洗浄排水路２７の端部をまとめる管が、再生排水弁１１の側部から延出して設けられており、その端部開口が排水口２５となる。
【００８５】
駆動水入口２９は、エゼクタ３０に近接して設けられるのが好ましい。本実施形態では、図７において、バルブハウジング３０３の前後方向中央部の右側下部にエゼクタ３０が収容されるが、その右側面に駆動水入口２９が設けられる。より具体的には、駆動水路３１の端部を構成する管が、エゼクタ収容部５１の側部に、右側へ延出した後、下方へ延出して設けられており、その端部開口が駆動水入口２９となる。
【００８６】
再生剤口４０は、再生弁１２に近接して設けられるのが好ましい。本実施形態では、再生剤口４０は、再生弁１２の前部に設けられる。より具体的には、再生弁１２の前部には、再生剤口４０が設けられており、その再生剤口４０には再生剤流量計４２が設けられる。
【００８７】
図７に示されるように、第二実施形態では、四つのカム４７が配置されており、その一端面に、第一弁群４９の各弁を操作するレバー１２８が係合され、他端面に、第二弁群５０の各弁を操作するレバー１２８が係合される。
【００８８】
上述した第二実施形態に係る純水製造装置１Ａにおいても、第一実施形態に係る純水製造装置１と同様の効果を奏する。
【００８９】
以上、本発明に係る水処理装置の好ましい実施形態について説明した。しかし、本発明に係る水処理装置は、第一及び第二実施形態の構成に限らず適宜に変更可能である。
【００９０】
例えば、第一及び第二実施形態では、本発明に係る水処理装置として、陽イオン交換装置２Ａ（３Ａ）及び陰イオン交換装置２Ｂ（３Ｂ）を備えた２床２塔式の純水製造装置１（１Ａ）としたが、陽イオン交換装置２Ａ（３Ａ）と陰イオン交換装置２Ｂ（３Ｂ）との間に脱炭酸ユニットを備えた２床３塔式の純水製造装置として構成してもよい。
【００９１】
また、第一及び第二実施形態において、コントロールボックス５を、陽イオン交換装置２Ａ（３Ａ）及び陰イオン交換装置２Ｂ（３Ｂ）を並び方向の一端側の側方から見たときに、これらイオン交換装置よりも前側に位置し且つ重複するように基礎ベッド４の上に載置してもよい。
【００９２】
また、第一及び第二実施形態では、流路切替弁２００Ａ（２００Ｂ）及び３００Ａ（３００Ｂ）が八つの弁を備える例について説明したが、イオン交換装置の構成に応じて、弁の数は変更可能である。その場合でも、第一弁群４９には、第一通水弁６、第二通水弁７及びバイパス弁８が含まれ、再生弁１２は、第一弁群４９又は第二弁群５０のいずれかに含まれ、第二弁群５０には、第一弁群４９に含まれない残りの弁が含まれてもよい。
【００９３】
また、再生弁１２とエゼクタ弁１３とは、第一実施形態では隣接して配置され、第二実施形態では対向して配置されているが、第一実施形態において対向して配置したり、第二実施形態において隣接して配置したりしてもよい。
【符号の説明】
【００９４】
１，１Ａ  純水製造装置
２Ａ，３Ａ  陽イオン交換装置
２Ｂ，３Ｂ  陰イオン交換装置
４  基礎ベッド
５  コントロールボックス
６  第一通水弁
７  第二通水弁
８  バイパス弁
９  圧密排水弁
１０  洗浄排水弁
１１  再生排水弁
１２  再生弁
１３  エゼクタ弁
２２  原水入口
２３  処理水出口
２５  排水口
２６  圧密排水路
２７  洗浄排水路
２９  駆動水入口
４０  再生剤口
４７  カム
４８  カムシャフト
１０８  モータ
２００Ａ，２００Ｂ，３００Ａ，３００Ｂ  流路切替弁
２０１Ａ，２０１Ｂ  圧力タンク
２０２Ａ，２０２Ｂ，３０２Ａ，３０２Ｂ  再生剤タンク
２０３，３０３  バルブハウジング
【図１】
2014231044.tif 000003
【図２】
2014231044.tif 000004
【図３】
2014231044.tif 000005
【図４】
2014231044.tif 000006
【図５】
2014231044.tif 000007
【図６】
2014231044.tif 000008
【図７】
2014231044.tif 000009